(57)【要約】【課題】正立噴射用のエアゾール化粧料において、目視によることなく、正立噴射と倒立噴射とを明瞭に区別できるようにして誤噴射を防止し、さらに、間欠噴射により皮膚や頭皮に直接薬剤を行き渡らせ、かつマッサージ効果を得る。【解決手段】エアゾール化粧料１が、間欠噴射機構付きボタンを備えた正立噴射用のエアゾール容器に、化粧料原液Ａと、炭酸ガス、窒素ガス、亜酸化窒素ガス等の圧縮ガスＧを充填したものからなる。【選択図】    図１
2004236872.tif 000002
【特許請求の範囲】
【請求項１】
間欠噴射機構付きボタンを備えた正立噴射用のエアゾール容器に、化粧料原液と圧縮ガスが充填されてなるエアゾール化粧料。
【請求項２】
圧縮ガスが、炭酸ガスである請求項１記載のエアゾール化粧料。
【請求項３】
化粧料原液が、育毛剤を含有する請求項１又は２記載のエアゾール化粧料。
【発明の詳細な説明】
【０００１】
【発明の属する技術分野】
本発明は、化粧料原液を間欠噴射させる、正立噴射用のエアゾール化粧料に関する。
【０００２】
【従来の技術】
整髪剤、育毛剤等の噴出容器としてエアゾール容器が使用されている。エアゾール容器には、（ｉ）容器内に内容液の導出のためにチューブを設けた正立噴射用のものと、（ｉｉ）細く曲がり易いチューブの下端に錘を付けたものを容器内に設け、正立状態ではチューブの下端が内容液に浸たっており、倒立状態にするとチューブが錘の重みにより折れ曲がり、内容液が移動してもチューブ先端が内容液に浸たることで正立噴射又は倒立噴射の双方を行えるものと、（ｉｉｉ）チューブ無しの倒立噴射用のものがあるが、自らの手で噴射させて本人の頭皮に噴射させる育毛剤用のエアゾール容器の場合には、正立噴射用のものが多く使用されている。
【０００３】
正立噴射用のエアゾール容器は、それを倒立噴射させると、内容物が噴出することなく、噴射剤だけが無駄に噴出する。そのため、倒立噴射はしないようにすることが望ましい。しかしながら、例えば、エアゾール容器に充填された育毛剤等を後頭部に噴霧する場合のように、その容器の起立方向を目視で確認できず、育毛剤を噴射するつもりで噴射剤を誤噴射させている場合がある。
【０００４】
正立噴射又は倒立噴射の双方を行えるエアゾール容器は、上述の誤噴射の問題は生じないが、内容液の導出用のチューブに錘を付けることが必要なために材料費が高くなり、また、そのチューブは細いため、折れ易く、結ばれることもあり、容器を振ることで錘によって細いチューブが引延ばされて噴射し辛くなることがある。更に、容器の傾きが正立と倒立との中間の場合には細いチューブでもチューブの先端が内容液に浸たらないことがある。
【０００５】
一方、間欠噴射機能を噴射装置に備え、内容物を間欠噴射させることのできるエアゾール容器が知られている（特許文献１、特許文献２）。このようなエアゾール容器を育毛剤や血行促進剤の噴出容器として使用すると、皮膚や頭皮に直接薬剤が行き渡り、かつマッサージ効果を得ることができる。
【０００６】
【特許文献１】特開平７−９６２２６号公報
【特許文献２】特開２０００−３３５６６３号公報
【０００７】
【発明が解決しようとする課題】
そこで、本発明は、育毛剤等を含有する化粧料原液を、正立噴射用のエアゾール容器に充填した場合に、目視によることなく、正立噴射と倒立噴射とを明瞭に区別できるようにし、意図に反した倒立噴射を極力低減させ、さらに、皮膚や頭皮に直接薬剤が行き渡り、かつマッサージ効果を得られるようにすることを目的とする。
【０００８】
【課題を解決するための手段】
本発明者は、正立噴射用のエアゾール容器において、噴射装置として、間欠噴射機構付きボタンを備えたものを使用し、かつ、噴射剤として圧縮ガスを使用すると、正立噴射時の噴出音と、倒立噴射時の噴出音とが明瞭に異なり、これにより意図に反した倒立噴射を極力低減させられることを見出した。
【０００９】
即ち、本発明は、間欠噴射機構付きボタンを備えた正立噴射用のエアゾール容器に、化粧料原液と圧縮ガスが充填されてなるエアゾール化粧料を提供する。
【００１０】
【発明の実施の形態】
以下、図面を参照しつつ、本発明を詳細に説明する。なお、各図中、同一符号は同一又は同等の構成要素を表している。
【００１１】
図１は、本発明の一実施例のエアゾール化粧料１の部分断面図であって、噴射操作をしていない状態を表している。また、図２は、エアゾール化粧料１の噴射装置の作用を説明する断面図である。
【００１２】
このエアゾール化粧料１は、耐圧容器である容器本体２と、間欠噴射機構を備えた噴射装置３からなるエアゾール容器に、化粧料原液Ａと、圧縮ガスＧを充填したものである。容器本体２内には、化粧料原液Ａが噴射装置３に供給されるように、噴射装置３の剤入口から伸びたチューブ４が容器本体２の底部に達している。なお、このチューブ４は、エアゾール化粧料１を倒立させても折れ曲がることなく、その先端は容器本体２の底部近傍に位置する。このようなチューブ４としては、例えば、外径２〜５ｍｍのものが好ましい。実施例では、ポリエチレン樹脂製で、外径２．２５ｍｍのチューブ４を使用した。
【００１３】
噴射装置３の間欠噴射機構は、特許文献１に記載されている間欠噴射機構と同様である。即ち、ステム５が嵌合したボタン本体６内に、先端部に噴出口７を備えたピストン８と、ピストン８の後端開口部から先端部が挿入されたニードル弁９が同心円状に摺動自在に設けられている。ピストン８の後端部はボタン本体６と気密に摺接し、また、ニードル弁９の先端部近傍の外周部には、ピストン８の内周面に気密に摺接するＯリング１０が設けられている。ボタン本体６の内部において、ピストン８の外周には、第１のコイルバネ１１があり、ピストン８を噴出口７と反対方向に付勢する。ニードル弁９の後端部には第２のコイルバネ１２が設けられている。この第２のコイルバネ１２は、図１の噴射操作をしていない状態において、自由長となっており、ニードル弁９に対して力を及ぼさない。
【００１４】
このエアゾール化粧料１から、化粧料原液Ａを噴射させる方法は、まず、ボタン本体６を押し下げ、ステム５を押し下げることによりエアゾールバルブ（図示せず）を開く。これにより、ボタン本体６の内部に化粧料原液Ａが流入し、この圧力により、図２（ａ）の矢印Ｘのように、ピストン８とピストン８の移動に伴うＯリング１０の摩擦力によりニードル弁９が前方に移動する。ある程度ピストン８とニードル弁９が移動すると、ピストン８とニードル弁９とで挟まれているＯリング１０の摩擦力により押し縮められた第２のコイルバネ１２の力の方が大きくなり、第２のコイルバネ１２がニードル弁９を押し戻す。ボタン本体６を押し下げ続けることで、更にボタン本体６の内圧が高くなり、ピストン８はさらに前方に進み、Ｏリング１０でのシール（気密状態）が外れることでピストン８とニードル弁９との気密状態が解かれ、図２（ｂ）のように噴出口７から化粧料原液Ａが噴射される。この噴射により、ボタン本体内６の圧力が低下し、ピストン８は第１のコイルバネ１１により押し戻されるが、図２（ｃ）のように、第２のコイルバネ１２もニードル弁９を押し戻すので、直ちには、ピストン８とニードル弁９とは気密状態に戻らず、噴出口７からの噴出が続く。ボタン本体内６の圧力がさらに低下すると、ピストン８が第１のコイルバネ１１によってさらに押し戻され、ピストン８とニードル弁９の気密がＯリング１０によって確保される。したがって、ボタン本体６の内部に流入する化粧料原液Ａにより、ボタン本体６の内部の圧力が再び上昇する。以降、ボタン本体６を押し下げている間は、上述のピストン８とニードル弁９の動きが繰り返されて化粧料原液Ａが間欠的に噴射される（周波数１０〜３５Ｈｚ）。したがって、化粧料原液Ａ自体による皮膚への作用に加えて、間欠噴射によるマッサージ効果を得ることができる。
【００１５】
このエアゾール化粧料１を倒立噴射させると、化粧料原料Ａが移動し、チューブ４の先端が化粧料原料Ａに浸からないので化粧料原液Ａが噴射されることなく、圧縮ガスのみが間欠噴射される。このときの音質と音量は、正立噴射時と明瞭に異なる。したがって、音によって正立噴射と倒立噴射とを区別することができ、目視によって容器の起立方向を確認できない場合でも、誤噴射を直ちに止めることができる。
【００１６】
エアゾール化粧料１において、噴射剤としては、炭酸ガス、窒素ガス、亜酸化窒素ガス等の圧縮ガスＧを使用する。これに対し、ＬＰＧ（液化天然ガス）、ＤＭＥ（ジメチルエーテル）等の液化ガスを使用すると、正立噴射時に化粧料原液Ａが間欠噴射されず、連続噴射されるので好ましくない。
【００１７】
圧縮ガスの中でも、特に、炭酸ガスを使用すると、化粧料原液中に溶解した炭酸ガスが、その化粧料原液が酸性である場合にＣＯ２分子として存在し、皮膚や頭皮中の毛細血管の血管拡張作用を有し、本発明のエアゾール化粧料のマッサージ効果と血行促進効果とを増強させることができるので好ましい。
【００１８】
従って、化粧料原液Ａの液性をｐＨ８以下、特にｐＨ４．５〜７．５に調整することが好ましい。この場合、化粧料原液Ａの最終ｐＨを上記範囲内に収まるようにするために、必要に応じてクエン酸、酒石酸、乳酸等の有機酸又はこれらの塩、或いはリン酸、塩酸、硫酸等の無機酸又はこれらの塩などのｐＨ調整剤を使用することができる。
【００１９】
化粧料原液Ａに配合する成分は、エアゾール容器に充填して用いる公知の化粧品（皮膚化粧料、毛髪化粧料）、医薬部外品（薬用化粧料、育毛剤）、医薬品（育毛剤）と同様とすることができ、例えば、血行促進剤、抗菌剤、抗炎症剤、毛包賦活剤、保湿剤、角質溶解剤、抗脂漏剤、局所刺激剤、抗男性ホルモン剤、カリウムチャンネルオープナー、抗酸化剤等の薬効成分を配合することができる。特に、育毛剤の成分としては、（ｉ）エタノールと、（ｉｉ）センブリ抽出液、黄キ抽出液、ニンジン抽出エキス、クアチャララーテ抽出液、ボタンピ抽出液、コレウスエキス、ヒノキチオール、脂肪酸誘導体、パントテニール誘導体、ジメチルモノアミン誘導体、アミンオキシド誘導体、酢酸トコフェロール、ニコチン酸誘導体、グリチルリチン酸ジカリウム、β−グリチルレチン酸、フラバノノール誘導体（特開平７−１１２９１６号公報、特許第３０４３５８２号、特許第３１３１１０５号に記載の養毛料又は養毛・育毛料参照）、ユーカリエキス、アスナロエキス、クロロゲン酸類、フェルラ酸から選ばれる少なくとも１種とを含有させることが好ましい。
【００２０】
これら成分（１種又は２種以上）の配合量は、化粧料原液中に０．００１〜３０重量％配合するのが好ましく、特に、０．０１〜１５重量％配合するのが好ましい。また、化粧料原液Ａには、必要に応じて、通常の化粧品等で使用されている溶剤、油性基材、毛髪セット用ポリマー、ゲル化剤、界面活性剤、香料、着色剤等を配合することができる。
【００２１】
このエアゾール化粧料１は、耐圧容器に化粧料原液と圧縮ガスとを常法に従って封入することにより製造することができる。例えば、圧縮ガスとして炭酸ガスを使用する場合には、炭酸ガスを除く他の成分（薬効成分、界面活性剤、高分子、油剤等の化粧料原液成分）を耐圧容器に入れ、これに高圧炭酸ガスを封入する方法、耐圧容器に炭酸ガスを発生しうる炭酸塩残基を有する成分（炭酸水素ナトリウム等）を入れ、これに適当なｐＨ調整剤を加えて炭酸ガスを発生させ、直ちに密封する方法、或いはドライアイスペレットを容器内に入れて密封する方法等により製造することができる。特に高圧炭酸ガスを封入する方法により製造することが好ましい。
【００２２】
以上、図１に示した態様に基づいて本発明のエアゾール化粧料を説明したが、本発明において、エアゾール容器は、正立噴射用のエアゾール容器であって、間欠噴射機構を備えた噴射装置を有する限り、種々の態様をとることができる。例えば、噴射装置は、特開２０００−３３５６６３号公報（特許文献２）に記載されている間欠噴射用ボタンを備えたものとしてもよい。
【００２３】
【発明の効果】
本発明のエアゾール化粧料によれば、目視によることなく、正立噴射と倒立噴射とを明瞭に区別できるので、誤って倒立噴射することを防止することができ、さらに、間欠噴射により皮膚や頭皮に直接薬剤を行き渡らせ、かつマッサージ効果を得ることができる。
【図面の簡単な説明】
【図１】エアゾール化粧料の部分断面図である。
【図２】噴射装置の作用を説明する断面図である。
【符号の説明】
１    エアゾール化粧料
２    容器本体
３    噴射装置
４    チューブ
５    ステム
６    ボタン本体
７    噴出口
８    ピストン
９    ニードル弁
１０    Ｏリング
１１    第１のコイルバネ
１２    第２のコイルバネ
【図１】
2004236872.tif 000003
【図２】
2004236872.tif 000004